(57)【要約】【課題】被測定負荷における種々の測定要素の測定に対応することができ、使い勝手のよい電力量計を提供する。【解決手段】被測定負荷２に、ガス流量センサー２１や水道水流量センサー２２等、物理量が所定量変動するごとにパルス信号を出力するパルス信号出力手段を取り付けるとともに、電力量計１に、上記ガス流量センサー２１や水道水流量センサー２２等のパルス信号出力手段を接続可能な複数のパルス信号入力部６、６・・を備えた。そして、該パルス信号入力部６を介して入力されたパルス信号数をＣＰＵ１１でカウントすることにより、被測定負荷２における消費ガス流量や消費水道水流量を測定可能とした。【選択図】図１
2008304273.tif 000002
【特許請求の範囲】
【請求項１】
被測定負荷における消費電力量を測定可能な電力量計であって、
物理量が所定量変動するごとにパルス信号を出力するパルス信号出力手段を接続可能なパルス信号入力部と、記憶手段を有する主演算部と、該主演算部における演算結果を表示するための表示部と、前記主演算部に各種演算動作を指令するための操作部とを備えており、
前記主演算部が、前記パルス信号入力部を介して入力されたパルス信号の入力数をカウントすることにより、前記消費電力量と同時系列で前記物理量の変動量をも測定するとともに、それらの測定結果及び／又は測定結果にもとづく演算結果を前記表示部に表示することを特徴とする電力量計。
【請求項２】
計時機能を有する計時手段を備えており、パルス信号の入力数を時刻に関連づけて記憶することを特徴とする請求項１に記載の電力量計。
【発明の詳細な説明】
【技術分野】
【０００１】
本発明は、入力される電圧値及び電流値をもとに被測定負荷の電力量を測定するための電力量計に関するものである。
【背景技術】
【０００２】
従来では、たとえば特許文献１に開示されているように、被測定負荷に対し、電力量計やエア流量計、エア圧力計等を別個に取り付け、各測定機器毎にデータを集計し、各エネルギーの使用量の時間推移を表示する等してエネルギー診断等を行っていた。
【０００３】
【特許文献１】特開２００７−４１８３０号公報
【発明の開示】
【発明が解決しようとする課題】
【０００４】
しかしながら、従来では、被測定負荷に対し、測定対象となる要素毎に別個の測定機器を取り付けなければならず、取付作業が非常に煩雑となる。また、各測定機器毎のデータを総合的に集計したり、表示したりするにはＡ／Ｄ変換機を介してパソコン等のコンピュータを接続する必要があり、大掛かりなシステムとなってしまうといった問題がある。
【０００５】
そこで、本発明は、上記問題に鑑みなされたものであって、被測定負荷における種々の測定要素の測定に対応することができ、使い勝手のよい電力量計を提供しようとするものである。
【課題を解決するための手段】
【０００６】
上記目的を達成するために、本発明のうち請求項１に記載の発明は、被測定負荷における消費電力量を測定可能な電力量計であって、物理量が所定量変動するごとにパルス信号を出力するパルス信号出力手段を接続可能なパルス信号入力部と、記憶手段を有する主演算部と、該主演算部における演算結果を表示するための表示部と、前記主演算部に各種演算動作を指令するための操作部とを備えており、前記主演算部が、前記パルス信号入力部を介して入力されたパルス信号の入力数をカウントすることにより、前記消費電力量と同時系列で前記物理量の変動量をも測定するとともに、それらの測定結果及び／又は測定結果にもとづく演算結果を前記表示部に表示することを特徴とする。
また、請求項２に記載の発明は、請求項１に記載の発明において、計時機能を有する計時手段を備えており、パルス信号の入力数を時刻に関連づけて記憶することを特徴とする。
【発明の効果】
【０００７】
本発明によれば、ガス流量や水道水流量等、パルス信号の入力回数によって測定される物理量の変動量（すなわち、消費量）を消費電力量と同時系列で測定することができるとともに、単位パルス信号入力回数当たりの消費電力量を算出することができるし、さらにその測定結果及び／又は測定結果にもとづく演算結果を当該電力量計にて表示することができる。したがって、同時系列的に取得したデータにもとづき従来よりも簡易、且つ、詳細にエネルギー診断等を行うことができ、汎用性に富む上、エネルギー診断等に係るシステムの大型化といった問題も生じない。また、従来の如く、測定する要素毎に複数の測定機器を設置したりする必要がなく、設置作業の簡素化を図ることができる。
さらに、請求項２に記載の発明によれば、計時機能を有する計時手段を備えており、パルス信号の入力数を時刻に関連づけて記憶するため、取得した消費電力量、消費ガス流量、及び消費水道水流量を、時間毎、日毎、月間毎といった単位時間毎に表示することができる。したがって、データの集計等においてさらに使い勝手が非常に良い。
【発明を実施するための最良の形態】
【０００８】
以下、本発明の一実施形態となる電力量計について、図面をもとに説明する。
【０００９】
図１は、電力量計１のブロック構成図である。
電力量計１は、被測定負荷２の消費電力量を測定するとともに、測定した電力量をもとにしてエネルギー診断等を行うためのものであって、電圧入力部３、電流入力部４、電力量演算部５、及びＲＯＭやＲＡＭ等の記憶手段を有するＣＰＵ（主演算部）１１等を備えている。そして、電圧入力部３、及び電流入力部４を介して入力された電圧値及び電流値にもとづき、電力量演算部５において被測定負荷２の消費電力量を算出し、ＣＰＵ１１にて記憶するようになっている。尚、電圧値及び電流値の入力は、アナログ信号入力となっている。
【００１０】
また、電力量計１は、被測定負荷２に取り付けられるガス流量センサー２１や水道水流量センサー２２等、物理量（ガス流量や水道水流量）が所定量変動する（所定量消費される）ごとにパルス信号を出力するパルス信号出力手段を接続可能なパルス信号入力部６、６・・が複数備えられている。そして、該パルス信号入力部６を介して入力されたパルス信号数をＣＰＵ１１でカウントすることにより、被測定負荷２における消費ガス流量や消費水道水流量を測定可能となっている。尚、消費ガス流量や消費水道水流量もＣＰＵ１１にて記憶管理される。
【００１１】
さらに、電力量計１は、計時機能を有するＲＴＣ（計時手段）１４を備えており、ＣＰＵ１１では上記消費電力量や消費ガス流量、消費水道水流量等を時刻データに関連づけて記憶するようになっている。さらにまた、電力量計１は、ＣＰＵ１１に記憶されている各種データを表示するための表示部１２、ＣＰＵ１１に各種演算等を行わせるための操作部１３を備えており、時間毎、日毎、月間毎といった単位時間における消費電力量や消費ガス流量、消費水道水流量を算出・表示したり、消費電力量と消費ガス流量（又は消費水道水流量）との比をとることで、単位消費ガス流量（又は単位水道水流量）、すなわち単位パルス信号入力回数当たりの消費電力量を算出・表示可能となっている。
加えて、電力量計１は、パソコン１６等の外部電気機器を接続するための外部機器接続部（接続端子）１５を備えており、ＣＰＵ１１に記憶されている各種データをパソコン１６等へ出力してパソコン１６上でデータ処理させたり、パソコン１６等の外部電気機器を電力量計１の操作手段として利用したりすることができるようになっている。
【００１２】
以上のような構成を有する電力量計１によれば、電圧入力部３及び電流入力部４に加え、パルス信号入力部６、６・・を備えているため、ガス流量センサー２１や水道水流量センサー２２等のパルス信号出力手段を接続することができ、消費電力量と並行して消費ガス流量や消費水道水流量を測定することができる。したがって、同時系列的に取得したデータをもとに従来よりも簡易、且つ、詳細にエネルギー診断等を行うことができ、汎用性に富む。また、従来の如く、測定する要素毎に複数の測定機器を設置したりする必要がなく、設置作業の簡素化を図ることができる。
【００１３】
さらに、電力量計１にＣＰＵ１１、表示部１２、操作部１３、及びＲＴＣ１４等を備えているため、パソコン１６等を接続することなく、取得した消費電力量、消費ガス流量、及び消費水道水流量を、時間毎、日毎、月間毎といった単位時間毎に表示したり、消費電力量と消費ガス流量（又は消費水道水流量）との比をとって、単位消費ガス流量（又は単位水道水流量）、すなわち単位パルス信号入力回数当たりの消費電力量を算出・表示したりすることができる。したがって、データの集計等において使い勝手が非常に良い上、エネルギー診断等に係るシステムの大型化といった問題も生じない。
【００１４】
なお、本発明の電力量計に係る構成は、上記実施形態に記載の態様に何ら限定されるものではなく、本発明の趣旨を逸脱しない範囲で、必要に応じて適宜変更することができる。
【００１５】
たとえば、操作部及び／又は接続される外部電気機器により、どのパルス信号入力部にどのようなパルス信号出力手段を接続させるかを、被測定負荷の種類等に応じて適宜変更設定可能に構成してもよい。当該構成を採用することにより、より汎用性の高い電力量計とすることができる。
また、上記実施形態ではガス流量センサー及び水道水流量センサーをパルス信号入力部に接続しているが、パルス信号入力部に接続可能なパルス信号出力手段としては、クーラント液や潤滑油等の他の流体用センサーや所定の生産数量に応じてパルス信号を出力するような生産数量センサー等、パルス出力を有する出力手段であればよく、上記実施形態に記載のものに何ら限定されることはない。
さらに、外部機器接続部を、有線接続のためのコネクタや端子とするのではなく、無線接続可能な送受信手段を有する構成とすることも可能である。
【図面の簡単な説明】
【００１６】
【図１】本発明に係る電力量計のブロック構成図である。
【符号の説明】
【００１７】
１・・電力量計、２・・被測定負荷、３・・電圧入力部、４・・電流入力部、５・・電力量演算部、６・・パルス信号入力部、１１・・ＣＰＵ、１２・・表示部、１３・・操作部、１４・・ＲＴＣ。
【図１】
2008304273.tif 000003